【手続補正書】
【提出日】平成24年9月11日(2012.9.11)
【手続補正１】
【補正対象書類名】明細書
【補正対象項目名】０００８
【補正方法】変更
【補正の内容】
【０００８】
本発明は、かかる従来の課題に鑑みてなされたものであり、レンズ交換、可変形状光学部の変化、被写体の周囲環境の変化のいずれかの要因に起因する収差を補正した画像を得ることのできる撮像装置、及びそのプログラムを提供することを目的とする。
【手続補正２】
【補正対象書類名】明細書
【補正対象項目名】０００９
【補正方法】変更
【補正の内容】
【０００９】
前記課題を解決するため、請求項１記載の発明に係る撮像装置にあっては、被写体像を撮像する撮像部と、レンズ交換、可変形状光学部の変化、被写体の周囲環境の変化のいずれかの要因に起因する光学系の収差を測定する収差測定手段と、前記いずれかの要因に起因する前記光学系の収差の変化を、前記収差測定手段により繰り返し測定し、その測定結果に基づいて、前記いずれかの要因に起因する前記光学系の収差の変化を繰り返し補正する収差補正手段と、を備えることを特徴とする。
また、請求項２記載の発明に係る撮像装置にあっては、前記いずれかの要因に起因する前記光学系の収差の変化を示す表示を表示部に行う表示制御手段を更に備えることを特徴とする。
また、請求項３記載の発明に係る撮像装置にあっては、前記表示制御段は、前記いずれかの要因に起因する前記光学系の収差の変化を反映した前記撮像部により撮像されるライブビュー画像の表示中に、前記収差測定手段により繰り返し測定される前記いずれかの要因に起因する前記光学系の収差の測定結果に基づいて、前記いずれかの要因に起因する前記光学系の収差の変化を示す表示を行うことを特徴とする。
また、請求項４記載の発明に係る撮像装置にあっては、前記表示制御手段は、前記収差測定手段により測定された前記光学系の収差のデータを、前記ライブビュー画像に重畳表示することを特徴とする。
また、請求項５記載の発明に係る撮像装置にあっては、前記表示制御手段は、前記収差測定手段により測定された前記光学系の収差を前記ライブビュー画像に等高線により表示することを特徴とする。
また、請求項６記載の発明に係る撮像装置にあっては、前記収差補正手段は、前記可変形状光学部を駆動して形状を変化させることで前記いずれかの要因に起因する前記光学系の収差の変化を繰り返し補正することを特徴とする。
【手続補正３】
【補正対象書類名】明細書
【補正対象項目名】００１０
【補正方法】変更
【補正の内容】
【００１０】
また、請求項７記載の発明に係る撮像装置にあっては、前記光学系により結像される被写体像を前記撮像部に導く第１の光路と、前記光学系により結像される被写体像を前記収差測定手段に導く第２の光路と、を備えることを特徴とする。
【手続補正４】
【補正対象書類名】明細書
【補正対象項目名】００１１
【補正方法】変更
【補正の内容】
【００１１】
また、請求項８記載の発明に係る撮像装置にあっては、前記収差測定手段は、前記撮像部により撮像された被写体像に基づき、前記光学系の収差を測定することを特徴とする。
【手続補正５】
【補正対象書類名】明細書
【補正対象項目名】００１２
【補正方法】変更
【補正の内容】
【００１２】
また、請求項９記載の発明に係る撮像装置にあっては、前記交換式レンズ部の選択的な装着によるレンズ交換を検知する交換検知手段を備え、前記収差補正制御手段は、前記検知手段の前記検知に応答して動作することを特徴とする。
【手続補正６】
【補正対象書類名】明細書
【補正対象項目名】００１３
【補正方法】変更
【補正の内容】
【００１３】
また、請求項１０記載の発明に係る撮像装置にあっては、前記撮像部による撮像された画像の記録を指示する撮像指示手段と、前記撮像指示手段による画像の記録指示があった場合、前記収差補正制御手段を動作させて、前記収差測定手段により測定された前記光学系の収差が所定以下となった後に前記撮像部により撮像された画像を記録する撮像制御手段と、を備えることを特徴とする。
また、請求項１１記載の発明に係る撮像装置にあっては、前記収差測定手段により測定し、前記収差補正手段により繰り返し補正する光学系の収差は複数種であることを特徴とする。
また、請求項１２記載の発明に係る撮像装置にあっては、前記複数種の光学系の収差の組み合わせを任意に設定可能であることを特徴とする。
また、請求項１３記載の発明に係る撮像装置にあっては、前記の光学系の収差の目標値を任意に設定可能であることを特徴とする。
【手続補正７】
【補正対象書類名】明細書
【補正対象項目名】００１５
【補正方法】変更
【補正の内容】
【００１５】
また、請求項１４の発明に係るプログラムにあっては、被写体像を撮像する撮像部を有するコンピュータに、
レンズ交換、可変形状光学部の変化、被写体の周囲環境の変化のいずれかの要因に起因する、光学系の収差を測定する収差測定手順、
前記いずれかの要因に起因する前記光学系の収差の変化を、前記収差測定手順により繰り返し測定し、その測定結果に基づいて、前記いずれかの要因に起因する前記光学系の収差の変化を繰り返し補正する収差補正手順、
を実行させる。
【手続補正８】
【補正対象書類名】明細書
【補正対象項目名】００１６
【補正方法】変更
【補正の内容】
【００１６】
本発明によれば、レンズ交換、可変形状光学部の変化、被写体の周囲環境の変化のいずれかの要因に起因する収差を補正した画像を得ることができる。
【手続補正９】
【補正対象書類名】特許請求の範囲
【補正対象項目名】全文
【補正方法】変更
【補正の内容】
【特許請求の範囲】
【請求項１】
被写体像を撮像する撮像部と、
レンズ交換、可変形状光学部の変化、被写体の周囲環境の変化のいずれかの要因に起因する光学系の収差を測定する収差測定手段と、
前記いずれかの要因に起因する前記光学系の収差の変化を、前記収差測定手段により繰り返し測定し、その測定結果に基づいて、前記いずれかの要因に起因する前記光学系の収差の変化を繰り返し補正する収差補正手段と、
を備えることを特徴とする撮像装置。
【請求項２】
前記いずれかの要因に起因する前記光学系の収差の変化を示す表示を表示部に行う表示制御手段を更に備えることを特徴とする請求項１記載撮像装置。
【請求項３】
前記表示制御段は、前記いずれかの要因に起因する前記光学系の収差の変化を反映した前記撮像部により撮像されるライブビュー画像の表示中に、前記収差測定手段により繰り返し測定される前記いずれかの要因に起因する前記光学系の収差の測定結果に基づいて、前記いずれかの要因に起因する前記光学系の収差の変化を示す表示を行うことを特徴とする請求２記載の撮像装置。
【請求項４】
前記表示制御手段は、前記収差測定手段により測定された前記光学系の収差のデータを、前記ライブビュー画像に重畳表示することを特徴とする請求項３に記載の撮像装置。
【請求項５】
前記表示制御手段は、前記収差測定手段により測定された前記光学系の収差を前記ライブビュー画像に等高線により表示することを特徴とする請求項３に記載の撮像装置。
【請求項６】
前記収差補正手段は、前記可変形状光学部を駆動して形状を変化させることで前記いずれかの要因に起因する前記光学系の収差の変化を繰り返し補正することを特徴とする請求項１から５いずれかに記載の撮像装置。
【請求項７】
前記光学系により結像される被写体像を前記撮像部に導く第１の光路と、
前記光学系により結像される被写体像を前記収差測定手段に導く第２の光路と、
を備えることを特徴とする請求項１から６いずれかに記載の撮像装置。
【請求項８】
前記収差測定手段は、前記撮像部により撮像された被写体像に基づき、前記光学系の収差を測定することを特徴とする請求項１から７いずれかに記載の撮像装置。
【請求項９】
前記交換式レンズ部の選択的な装着によるレンズ交換を検知する交換検知手段を備え、
前記収差補正制御手段は、前記検知手段の前記検知に応答して動作することを特徴とする請求項１から８いずれか記載の撮像装置。
【請求項１０】
前記撮像部による撮像された画像の記録を指示する撮像指示手段と、
前記撮像指示手段による画像の記録指示があった場合、前記収差補正制御手段を動作させて、前記収差測定手段により測定された前記光学系の収差が所定以下となった後に前記撮像部により撮像された画像を記録する撮像制御手段と、
を備えることを特徴とする請求項１から９いずれかに記載の撮像装置。
【請求項１１】
前記収差測定手段により測定し、前記収差補正手段により繰り返し補正する光学系の収差は複数種であることを特徴とする請求項１から１０いずれかに記載の撮像装置。
【請求項１２】
前記複数種の光学系の収差の組み合わせを任意に設定可能であることを特徴とする請求項１１に記載の撮像装置。
【請求項１３】
前記の光学系の収差の目標値を任意に設定可能であることを特徴とする請求項１から１２いずれかに記載の撮像装置。
【請求項１４】
被写体像を撮像する撮像部を有するコンピュータに、
レンズ交換、可変形状光学部の変化、被写体の周囲環境の変化のいずれかの要因に起因する、光学系の収差を測定する収差測定手順、
前記いずれかの要因に起因する前記光学系の収差の変化を、前記収差測定手順により繰り返し測定し、その測定結果に基づいて、前記いずれかの要因に起因する前記光学系の収差の変化を繰り返し補正する収差補正手順、
を実行させるためのプログラム。